(57)【要約】【課題】試薬の種類や量が多い場合でも、設置作業を容易に行なうことができる試薬ボトルと共に、それをコンパクトに保持できるボトルホルダを提供する。【解決手段】試薬ボトルを、上端に開口部１２Ａが形成された薄い箱形のバケット部１２と、該バケット部の下方に形成された、所定の保持部材に形成されているスリットに差し込み可能な薄板部１４とを備えた構成とする。ボトルホルダを前記試薬ボトルが備えている薄板部が差し込み可能な複数のスリットが、略ボトルの厚さ間隔で形成されている保持部材を備えた構成とする。【選択図】図１
2007078421.tif 000002
【特許請求の範囲】
【請求項１】
上端に開口部が形成された薄い箱形のバケット部と、該バケット部の下方に形成された、所定の保持部材に形成されているスリットに差し込み可能な薄板部とを備えたことを特徴とする試薬ボトル。
【請求項２】
前記開口部の長辺と短辺が、前記バケット部の長辺と短辺と実質上同一の長さで形成されていることを特徴とする請求項１に記載の試薬ボトル。
【請求項３】
前記薄板部の幅が、前記保持部材の幅と略同一に形成されていることを特徴とする請求項１に記載の試薬ボトル。
【請求項４】
前記請求項１に記載の試薬ボトルが備えている薄板部が差し込み可能な複数のスリットが、略試薬ボトルの厚さ間隔で形成されている保持部材を備えたことを特徴とするボトルホルダ。
【請求項５】
前記試薬ボトルの下部フレームの両端部には、それぞれ外側に第１つばが突設されていると共に、該試薬ボトルが、その薄板部を前記スリットに差し込んで保持されると、前記第１つばが当接可能な第２つばが、対応する両側上端部の外側に、それぞれ突設されていることを特徴とする請求項４に記載のボトルホルダ。
【発明の詳細な説明】
【技術分野】
【０００１】
本発明は、自動分注装置で使用される試薬ボトルとそのボルトホルダに関する。
【背景技術】
【０００２】
自動分注装置で使用される従来の試薬ボトルとしては、例えば特許文献１に図６、図７に示すものが開示されている。
【０００３】
この試薬ボトルは、容器本体１００の上部に壁１０２により囲まれた開口１０４が形成されている。この試薬ボトルでは、上部開口１０４が、本体１００より小さい長辺１０６（例えば８０ｍｍ）と短辺１０８（例えば２０ｍｍ）で形成され、該開口１０４に、分注装置に装着されているピペットのノズルが挿入され、ノズル内に試薬を吸入できるようになっている。
【０００４】
従来、このような試薬ボトルは、自動分注装置で使用する場合、作業者により１つずつ装置の所定位置に設置する方法が一般に採用されている。
【０００５】
【特許文献１】特開平１１−２６４８２７号公報
【発明の開示】
【発明が解決しようとする課題】
【０００６】
しかしながら、１回の分注作業の中で複数種の試薬を使用する場合や１種類の試薬を多量に必要とする場合には、複数の試薬ボトルが必要となる。従って、所定位置に対して必要個数分のボトルを設置する作業が発生することになるため、容器本体１００が大きな前記従来の試薬ボトルでは作業性が良くないという問題があった。
【０００７】
更に、試薬の種類によって必要な量も変化するため、試薬の使用量に対応した複数種のボトルを使用できると同時に、それらをコンパクトに保持できるボトルホルダも必要となる。
【０００８】
本発明は、前記従来の問題点を解決するべくなされたもので、試薬の種類や量が多い場合でも、設置作業を容易に行なうことができる試薬ボトルを提供することを第１の課題とする。
【０００９】
本発明は、又、本発明に係る試薬ボトルを、数が多い場合でもコンパクトに保持することができるボトルホルダを提供することを第２の課題とする。
【課題を解決するための手段】
【００１０】
本発明は、試薬ボトルにおいて、上端に開口部が形成された薄い箱形のバケット部と、該バケット部の下方に形成された、所定の保持部材に形成されているスリットに差し込み可能な薄板部とを備えたことにより、前記第１の課題を解決したものである。
【００１１】
本発明においては、前記開口部の長辺と短辺が、前記バケット部の長辺と短辺と実質上同一の長さで形成されているようにしてもよく、又、前記薄板部の幅が、前記保持部材の幅と略同一に形成されているようにしてもよい。
【００１２】
本発明は、又、ボトルホルダにおいて、前記試薬ボトルが備えている薄板部が差し込み可能な複数のスリットが、略試薬ボトルの厚さ間隔で形成されている保持部材を備えたことにより、前記第２の課題を解決したものである。
【００１３】
本発明においては、前記試薬ボトルの下部フレームの両端部には、それぞれ外側に第１つばが突設されていると共に、該試薬ボトルが、その薄板部を前記スリットに差し込んで保持されると、前記第１つばが当接可能な第２つばが、対応する両側上端部の外側に、それぞれ突設されているようにしてもよい。
【発明の効果】
【００１４】
本発明の試薬ボトルによれば、液体を貯留するバケット部を薄い箱形形状にすると共に、下部に形成された薄板部を保持部材に形成されたスリットに差し込むことができるようにしたことから、該試薬ホルダを保持部材が設置された所定位置に設置する設置作業を、その数が多い場合でも容易に行なうことができる。
【００１５】
又、本発明のボトルホルダによれば、保持部材に略ボトルの厚さ間隔で形成されている複数のスリットに、本発明に係る試薬ボトルが有する薄板部を差し込むことにより、複数のボトルを容易且つコンパクトに保持することができる。
【発明を実施するための最良の形態】
【００１６】
以下、図面を参照して、本発明の実施の形態について詳細に説明する。
【００１７】
先ず、本発明に係る一実施形態の試薬ボトルについて説明する。この試薬ボトル１０は、図１に示すように、試薬を貯留・充填するバケット部１２と、該バケット部１２の下方に形成された、後述する保持部材のスリットに差し込むための薄板部１４とを有している。
【００１８】
上記バケット部１２は、上端に開口部１２Ａが形成された長辺Ａ、短辺Ｂ、深さＣからなる薄い箱形に形成された容器本体であり、上端の開口部１２Ａと本体とは、長辺と短辺が、実質上同一長さである。なお、特に制限されないが長辺Ａは７０〜１４０ｍｍ、短辺Ｂは５〜３０ｍｍ、深さＣは１０〜１００ｍｍとすることができる。
【００１９】
本実施形態では、深さＣのバケット部１２より下方のＤの範囲が厚さ数ｍｍの一枚の薄板で形成され、該薄板が格子状のリブからなるフレーム１６で補強された構造になっている。但し、下部フレーム１６Ａは、前記薄板部１４に対応する中央部の幅Ｅの範囲が除かれ、下端部が薄板の状態に形成されているようにしたことにより、該薄板部１４をスリットに差し込み、挿入が可能な形状になっている。なお、薄板の範囲Ｄは、２０〜５０ｍｍとすることができ、又、薄板部１４の幅Ｅは、スリットに差し込み可能であれば、長辺Ａ以下の任意の寸法にすることができる。
【００２０】
又、試薬ボトル１０の下部フレーム１６Ａの両端部には、それぞれ外側に第１つば１８が突設され、該第１つば１８により薄板部１４をスリットに差し込んで挿入した場合の挿入深さが、後述するように制限されるようになっている。
【００２１】
次に、本発明に係る第１実施形態のボトルホルダについて説明する。このボトルホルダ３０は、図２に前記試薬ボトル１０と共に示すように、中央部に前記試薬ボトル１０の薄板部１４の幅Ｅより若干狭いが、略同一の幅に相当する間隔で対向配置された２つの保持部材３２が立設されている。各保持部材３２は、Ｌ字形状の板金からなり、下部がボトルホルダ３０の底部にねじでそれぞれ固定されている。
【００２２】
又、この２つの保持部材３２には、前記薄板部１４が差し込み可能なスリット３４が、ほぼ試薬ボトル１０の厚さ間隔で、該試薬ボトル１０の設置高さに合わせた深さ寸法で形成されている。
【００２３】
又、前記スリット３４に薄板部１４が差し込まれた試薬ボトル１０に沿った方向のボトルホルダ３０の両側上端には、前記第１つば１８が当接し、薄板部１４の挿入深さを制限する第２つば３６が、それぞれ外側に突設されている。これら第１つば１８、第２つば３６は、後述するトレイにより試薬載置場に設置した際の抜け防止の機能をも有している。
【００２４】
以上の構成において、前記試薬ボトル１０は、図２に示したように薄板部１４をホルダ３０に立設されている保持部材３２のスリット３４に差し込み、挿入することにより保持される。
【００２５】
このとき、Ｌ字板金からなる２枚の保持部材３２は、試薬ボトル１０の薄板部１４の幅Ｅに合わせて対向配置され、略同一幅に形成されているので、試薬ボトル１０の図中左右方向（幅方向）の位置決めが可能となる。更に、試薬ボトル１０の第１つば１８をホルダ３０の第２つば３６に突き当てて保持することにより、試薬ボトル１０の挿入深さ（保持高さ）が決定される。又、ホルダ３０に固定されている保持部材３２のスリット３４により試薬ボトル１０の図中前後方向（厚さ方向）の転倒が防止される。
【００２６】
以上説明したように、ボトル設置（保持）の方法に薄板部１４をスリット３４に差し込む方式を採用したことにより、試薬ボトル１０を容易に位置決めすることが可能となり、しかも転倒防止も可能となる。
【００２７】
従って、図２に残っているスリット３４に対しても試薬ボトル１０を隙間なくホルダ３０に配置することが可能となることにより、限られた空間内により多くの試薬ボトル１０を配置し保持することが可能となる。
【００２８】
又、バケット部１２の短辺Ｂや深さＣの寸法を、それぞれ設計変更することにより、又、それに伴ってボトルの厚さやスリット間隔を変更することにより、多種の内容量のボトルに対応することが可能となる。
【００２９】
以上詳述した本実施形態の試薬ボトル１０とボトルホルダ３０を採用することにより、試薬ボトル１０を全てのスリット３４に差し込んだ状態の試薬ホルダ３０を複数個使用した例を図３に示すように、これらボトルホルダ３０をトレイ４０に嵌め込み、該トレイ４０をスライドさせて分注装置（図示せず）に固定されている試薬載置場５０に装着することにより、複数（多種）の試薬ボトル１０を一括して装填することができる。
【００３０】
図４には、試薬ボトル１０を保持したボトルホルダ３０を嵌め込んだトレイ４０を、試薬載置場５０に装着した状態の横断面を示す。
【００３１】
この図に示されるように、試薬載置場５０は、その内部に配設された、トレイ４０を載置すると共に、長さ方向に案内するための下側ガイド部５２と、外枠５４の両側上部をそれぞれ内側に折り曲げて形成した上側ガイド部５６とを備えている。
【００３２】
この下側ガイド部５２に載置されているトレイ４０の両側上端部には、それぞれ内側に折り曲げて当接部４２が形成され、該当接部４２上に前記ボトルホルダ３０の第２つば３６が載置され、更に該つば３６上に試薬ボトル１０の第１つば１８が載置され、それぞれ支持された状態になっている。
【００３３】
従って、図４に示したように試薬ボトル１０が保持されているボルトホルダ３０が嵌め込まれたトレイ４０を、試薬載置場５０の下側ガイド部５２と上側ガイド部５６の間にスライドさせて装着することにより、試薬ボトル１０を配置した複数のボトルホルダ３０を一括して分注装置に装填することが可能となる。
【００３４】
又、その際、ボトルホルダ３０のつば部３６上に支持されている試薬ボトル１０のつば１８を、上側ガイド５６により上方への動きを規制することが可能であるため、第１及び第２つば１８及び３６の抜けが防止されることから、トレイ４０を円滑にスライドさせ、装着することが可能となる。
【００３５】
図５には、本発明に係る第２実施形態のボトルホルダを示す。このボトルホルダ３０は、保持部材３２として試薬ボトル１０の厚みの間隔でスリット３４が形成された、上部が連続した形状の箱形板金を設置している以外は、実質的に前記図２に示した第１実施形態のボトルホルダと同一である。
【００３６】
従って、この箱形板金からなる保持部材３２もその幅は試薬ボトル１０の薄板部１４の幅Ｅに合わせて形成されている。又、スリット３４の深さも、試薬ボトル１０の設置高さに合わせた寸法となっている。更に、ボトルホルダ３０には、試薬載置場に設置された際の抜けを防止するための第２つば３６も形成されている。
【００３７】
従って、本実施形態のボルトホルダ３０によっても、ボトル１０は薄板部１４をスリット３４に挿入することにより保持され、箱形板金からなる保持部材３２により試薬ボトルの左右方向の位置決めが可能となり、試薬ボトルの第１つば１８をホルダの第２つば３６に突き当てることにより、試薬ボトル１０の挿入深さ（保持高さ）が決定される。更に、スリット３４により、試薬ボトル１０の前後方向の転倒を防止することもできる。
【００３８】
なお、本発明に係る試薬ボトルやボトルホルダの具体的な形状は、前記実施形態に示したものに限定されない。
【図面の簡単な説明】
【００３９】
【図１】本発明に係る一実施形態の試薬ボトルを示す概略斜視図
【図２】本発明に係る第１実施形態のボトルホルダを、上記試薬ボトルと共に示す概略斜視図
【図３】ボトルホルダに保持されている試薬ボトルを、トレイを使って装着した状態を示す概略斜視図
【図４】図３に示した装着状態を示す横断面図
【図５】本発明に係る第２実施形態のボトルホルダを示す概略斜視図
【図６】従来の試薬ボトルを示す平面図
【図７】従来の試薬ボトルを示す側面図
【符号の説明】
【００４０】
１０…試薬ボトル
１２…バケット部
１４…薄板部
１８…第１つば
３０…ボトルホルダ
３２…保持部材
３４…スリット
３６…第２つば
【図１】
2007078421.tif 000003
【図２】
2007078421.tif 000004
【図３】
2007078421.tif 000005
【図４】
2007078421.tif 000006
【図５】
2007078421.tif 000007
【図６】
2007078421.tif 000008
【図７】
2007078421.tif 000009